(57)【要約】      （修正有）【課題】ゲルマニウム成分が含まれるようにする貝類の不純物除去装置、およびそれを用いた不純物除去方法の提供。【解決手段】海水をポンプ１０で移送し、ろ過器１５０でろ過された海水を冷却水貯蔵タンク２２０からなる水タンク２００に移送され、海水供給管３１０を介して不純物除去用水槽４００に一定量供給される。この不純物除去用水槽の位置側の底にはゲルマニウム原石が収容された原石収納バスケット６００とその上部に貝類が収容された貝類収納バスケットが載せられており、水タンク２００から供給されたろ過水を受けて不純物の除去がなされる。【選択図】図１
2016052298.tif 000002
【特許請求の範囲】
【請求項１】
海近くの大陸敷地に不純物除去のための建築物１００を建設し、前記建築物１００の内外に渡って設けられるが、前記建築物１００の外部に設けられて前記建築物１００の内側に向かって海から海水を一方向に移送させるが、海の水中に設けられた水中ポンプ１０を介して一方向に移送される海水がろ過処理されうるように中央部分に大容量フィルター１５０が設けられ、端部が第１の端部１１１と第２の端部１１２の二つに分岐される連結配管１１０と、前記建築物１００の内部の一側に備えられ、前記連結配管１１０の第１の端部１１１が連結され、前記連結倍管１１０を介して前記大容量フィルター１５０を経てろ過処理されて移送される海水が流入貯蔵される海水貯蔵タンク２１０と、前記海水貯蔵タンク２１０の一側に備えられて前記連結配管１１０の第２の端部１１２が連結されて前記連結配管１１０を介して前記大容量フィルター１５０を経てろ過処理されて移送される海水が流入貯蔵される冷却水貯蔵タンク２２０からなる水タンク２００と、前記水タンク２００の一側に前記建築物１００の一側壁体に沿って長さ方向に内側に向かって「コ」の字状の水槽壁体４１０によって上部が開放されて四方が塞がるように構成され、前記海水貯蔵タンク２１０から前記建築物１００の一側の壁体に沿って設けられた海水供給配管３１０を介して内部空間にろ過処理された海水を選択的に供給を受け、前記水タンク２００のうち前記海水貯蔵タンク２１０から連結される海水供給配管３１０を介して選択的にろ過処理された海水が一定量供給される不純物除去用水槽４００と、前記不純物除去用水槽４００の内側底部に屈折タイプで配設される酸素供給ホース５１０を含むが、前記酸素供給ホース５１０を介して前記不純物除去用水槽４００の内側に供給される海水の水中に酸素を供給させる酸素供給ユニット５００を含んで構成されてゲルマニウム成分が含まれるようにする貝類の不純物除去装置１において、
前記不純物除去用水槽４００は、前記海水供給配管３１０を介して選択的にろ過処理された海水を一定量供給されてから２４時間以上経過した後、不純物除去を完了させることができるように、内側の底にゲルマニウム原石が収納された原石収納バスケット６００が配列されるようにし、前記原石収納バスケット６００の上部に貝類が収納された貝類収納バスケット７００が載せられ、内部空間を分割する水槽分割壁体４２０が複数本でさらに備えられる一方で、
前記海水供給配管３１０は、一側に第１の小容量フィルター３１１が備えられて前記第１の小容量フィルター３１１を介して前記海水貯蔵タンク２１０内の海水をろ過処理して前記不純物除去用水槽４００に選択的に案内し、
前記酸素供給ユニット５００は、前記酸素供給ホース５１０を介して前記不純物除去用水槽４００の内側に供給された海水の水中にオゾンが内包されるとともに、紫外線が放射処理された酸素を供給することができるように、前記不純物除去用水槽４００の外側に設けられ、前記酸素供給ホース５１０を介してオゾンが内包されるとともに、紫外線が放射処理された酸素を供給させるブロワ５３０と、前記ブロワ５３０と前記酸素供給ホース５１０の間で、前記ブロワ５３０の一側に備えられるオゾン器５５０と、前記オゾン器５５０の一側に備えられる紫外線殺菌器５７０を含んで構成されるが、前記ブロワ５３０、オゾン器５５０、および紫外線殺菌器５７０に対する選択的な操作が行えるように、前記ブロワ５３０の前記酸素供給ホース５１０が連結される反対側に、前記ブロワ５３０、オゾン器５５０、および紫外線殺菌器５７０を制御するコントロールボックス５９０がさらに備えられ、
前記冷却水貯蔵タンク２２０は、内部に冷却器２２１がさらに備えられ、前記建築物１００の上部の天井に沿って連結された冷却水供給配管３２０を介して内部空間に季節に応じて夏に限定されて選択的に冷却処理された冷却水を前記不純物除去用水槽４００に案内するが、一側に第２の小容量フィルター３２１が備えられて前記第２の小容量フィルター３２１を介して前記冷却水貯蔵タンク２２０内の海水をろ過処理して前記不純物除去用水槽４００に選択的に案内することを特徴とするゲルマニウム成分が含まれるようにする貝類の不純物除去装置。
【請求項２】
第１項に記載のゲルマニウム成分が含まれるようにする貝類の不純物除去装置１を介して貝類の不純物を除去させるゲルマニウム成分が含まれるようにする貝類の不純物除去装置を用いた不純物除去方法。
【請求項３】
不純物除去用水槽の内側の底に原石収納バスケットと前記原石収納バスケットの上部に貝類収納バスケットが載せられるように配列する大量の貝類に対する不純物除去準備段階（Ｓ１１０）と、
水中ポンプを稼動して海水貯蔵タンクと冷却水貯蔵タンク側に大容量フィルターを経てろ過処理された海水を貯蔵する海水貯蔵段階（Ｓ１２０）と、
前記海水貯蔵タンクに貯蔵された海水を第１の小容量フィルターを経てろ過させて海水供給配管を介して前記不純物除去用水槽内側に一定量供給する海水供給段階（Ｓ１３０）と、
前記不純物除去用水槽の底に配設される酸素供給ホースを経てコントロールボックスによって制御されてブロワ、オゾン器、紫外線殺菌器により前記不純物除去用水槽内の海水に対する水中にオゾンが内包されるとともに、紫外線が放射処理された酸素を供給する酸素供給段階（Ｓ１４０）と、
前記酸素供給段階（Ｓ１４０）の後、前記不純物除去用水槽内の前記貝類収納バスケット上に収納された貝類の不純物除去がなされるように、２４時間以上の不純物除去時間が経過するようにする不純物除去段階（Ｓ１５０）を含んでなる請求項８に記載のゲルマニウム成分が含まれるようにする貝類の不純物除去装置を用いた不純物除去方法。
【発明の詳細な説明】
【技術分野】
【０００１】
本発明は、ゲルマニウム成分が含まれるようにする貝類の不純物除去装置、およびそれを用いた不純物除去方法に関し、より詳細には、内側の底に屈折タイプで酸素供給ホースが設けられ、酸素供給ホースの間に沿ってゲルマニウム原石が収納された原石収納バスケットを配列させるが、原石収納バスケットの上部にアサリなどの貝類を収納させた貝類収納バスケットが載せられるようにした後、水タンクからろ過された水の供給を受け、一定時間に渡って不純物の除去がなされるようにした不純物除去用水槽が備えられることによってアサリなどの大量の貝類の不純物を除去させて貝類にゲルマニウム成分が含まれるようにすることができ、ゲルマニウム成分が転移して含まれることにより貝類に対して新鮮さとしこしこした味を提供することができるようにする一方、従来とは異なり、家庭で不純物が除去されるとともに、肉質と味が向上された貝類を購入した後、手軽に不純物の除去過程なしに料理して食べることができるようにしたゲルマニウム成分が含まれるようにする貝類の不純物除去装置、およびそれを用いた不純物除去方法に関する。
【背景技術】
【０００２】
一般的に、アサリなどの貝類は海辺や養殖場などで採取した後に洗浄されて、在来市場や大型マートなどを通じて消費者に供給されており、このような貝類は、砂や泥土を含んだ状態で消費者に供給されているのが実情である。
【０００３】
したがって、貝類を購入した消費者は、貝類の料理のために優先的に不純物を除去する過程を経た後、料理をしている。
【０００４】
前記のように、貝類の料理のために優先的に行われる不純物の除去過程は、通常、貝類の不純物を除去するために塩水に貝類を浸しておく方法を用いる。
【０００５】
ところが、このように塩水に貝類を浸しておくと、貝が飲み込んだ干潟の泥や有機物を排出してある程度の効果があることは事実だが、貝類が飲み込んだ砂は完全に吐き出さず、併せて泥のような不純物も一部残存するという問題があった。
【０００６】
すなわち、塩水で不純物を除去処理した貝類を料理して食用として使用する場合、不純物と砂が残存するので、貝類を料理して食べる場合に食べる人が不純物や砂などを噛むようになる問題があった。
【０００７】
したがって、アサリなどの貝類を消費者が購入して簡単に不純物の除去過程なしにすぐに料理して食べることができるように、在来市場や大型マートなどで不純物が除去された貝類を大量に供給できるようにした貝類の不純物除去装置が要求されるのが実情である。
【先行技術文献】
【特許文献】
【０００８】
【特許文献１】大韓民国登録実用新案公報第３８６１６３号、２００５.０５.３０.登録
【特許文献２】大韓民国登録特許第１０９９９３５号、２０１１.１２.２１.登録
【発明の概要】
【発明が解決しようとする課題】
【０００９】
前記のような問題点を解決するために、本発明は、内側の底に屈折タイプで酸素供給ホースが設けられ、酸素供給ホースとの間に沿ってゲルマニウム原石が収納された原石収納バスケットを配列させるが、原石収納バスケットの上部にアサリなどの貝類を収納させた貝類収納バスケットが載せられるようにした後、水タンクからろ過された水の供給を受け、一定時間に渡って不純物の除去がなされるようにした不純物除去用水槽が備えられることによって、アサリなどの大量の貝類の不純物を除去させるとともに、貝類にゲルマニウム成分が含まれるようにする貝類の不純物除去装置、およびそれを用いた不純物除去方法を提供することを目的とする。
【００１０】
併せて、本発明による技術は、不純物除去用水槽内で一定時間が過ぎると、原石収納バスケット上のゲルマニウム原石から貝類収納バスケット上の貝類にゲルマニウム成分が転移して含まれることにより貝類に対して新鮮さとしこしこした味を提供するできるようにする一方、従来とは異なり、家庭で不純物が除去されるとともに、肉質と味が向上された貝類を購入した後、手軽に不純物除去過程なしに料理して食べることができるようにすることにその目的がある。
【課題を解決するための手段】
【００１１】
前述の目的を達成するための本発明は、次の通りである。すなわち、本発明によるゲルマニウム成分が含まれるようにする貝類の不純物除去装置は、海近くの大陸敷地に不純物除去のための建築物を建設し、前記建築物の内外に渡って設けられるゲルマニウム成分が含まれるようにする貝類の不純物除去装置において、前記建築物の外部に設けられて前記建築物の内側に向かって海から海水を一方向に移送させるが、海の水中に設けられた水中ポンプを介して一方向に移送される海水がろ過処理されるように、中央部に大容量のフィルターが設けられ、端部が第１の端部と第２の端部の二つに分岐されている連結配管と、前記建築物の内部の一側に備えられ、前記連結配管の第１の端部が連結されて前記連結配管を介して前記大容量のフィルターを経てろ過処理されて移送される海水が流入貯蔵されている海水貯蔵タンクと、前記海水貯蔵タンクの一側に備えられて前記連結配管の第２の端部が連結されて前記連結配管を介して前記大容量のフィルターを経てろ過処理されて移送される海水が流入貯蔵される冷却水貯蔵タンクからなる水タンクと、前記水タンクの一側に前記建築物の一側の壁体に沿って長さ方向に内側に向かって「コ」の字状の水槽壁体によって上部が開放されて四方が塞がるように構成され、前記海水貯蔵タンクから前記建築物の一側の壁体に沿って設けられた海水供給配管を介して内部空間がろ過処理された海水を選択的に供給を受け、内側の底にゲルマニウム原石が収納された原石収納バスケットが配列されるようにし、前記原石収納バスケットの上部に貝類が収納された貝類収納バスケットが載せられるようにして、前記水タンクのうち前記海水貯蔵タンクから連結される海水供給配管を介して選択的にろ過処理された海水を一定量供給して２４時間以上経過した後、不純物の除去を完了させる不純物除去用水槽と、前記不純物除去用水槽の内側の底に屈折タイプで配設される酸素供給ホースを含み、前記酸素供給ホースを介して前記不純物除去用水槽の内側に供給される海水の水中に酸素を供給させる酸素供給ユニットを含む構成からなる。
【００１２】
ここで、前記海水供給配管は、一側に第１の小容量フィルターが備えられ、前記第１の小容量フィルターを介して前記海水貯蔵タンク内の海水をろ過処理して前記不純物除去用水槽に選択的に案内することが好ましい。
【００１３】
また、前記酸素供給ユニットは、前記酸素供給ホースを介して前記不純物除去用水槽の内側に供給された海水の水中にオゾンと紫外線が内包された酸素を供給することができるように、前記不純物除去用水槽の外側に設けられて前記酸素供給ホースを介してオゾンと紫外線が内包された酸素を供給させるブロワと、前記ブロワと前記酸素供給ホースとの間で、前記ブロワの一側に備えられるオゾン器及び前記オゾン器の一側に備えられる紫外線殺菌器をさらに含んで構成されることが良好である。
【００１４】
このとき、前記酸素供給ユニットは、前記ブロワ、オゾン器、および紫外線殺菌器に対する選択的な操作が行われるように、前記ブロワの前記酸素供給ホースが連結される反対側に前記ブロワ、オゾン器、および紫外線殺菌器を制御するコントロールボックスがさらに備えられることが好ましい。
【００１５】
また、前記冷却水貯蔵タンクは、内部に冷却器がさらに備えられ、前記建築物の上部の天井に沿って連結された冷却水供給配管を介して内部空間に季節に応じて夏に限定されて選択的に冷却処理された冷却水を前記不純物除去用水槽に案内することが良好である。
【００１６】
さらに、前記冷却水供給配管は、一側に第２の小容量フィルターが備えられ、前記第２の小容量フィルターを介して前記冷却水貯蔵タンク内の海水をろ過処理して前記不純物除去用水槽に選択的に案内することが好ましい。
【００１７】
また、前記不純物除去用水槽は、前記水タンクの一側に前記建築物の一側の壁体に沿って長さ方向に内側に向かって「コ」の字状の水槽壁体によって上部が開放されて四方が塞がるように構成されるが、内部空間を分割する水槽分割壁体が複数本でさらに備えられることが良好である。
【００１８】
一方、ゲルマニウム成分が含まれるようにする貝類の不純物除去装置を介して貝類の不純物を除去させるゲルマニウム成分が含まれるようにする貝類の不純物除去装置を用いた不純物除去方法は、不純物除去用水槽の内側の底に原石収納バスケットと前記原石収納バスケットの上部に貝類収納バスケットが載せられるように配列する大量の貝類に対する不純物除去準備段階と、水中ポンプを稼動して海水貯蔵タンクと冷却水貯蔵タンク側に大容量フィルターを経てろ過処理された海水を貯蔵する海水貯蔵段階と、前記海水貯蔵タンクに貯蔵された海水を第１の小容量フィルターを経てろ過させて海水供給配管を介して前記不純物除去用水槽の内側に一定量供給する海水供給段階と、前記不純物除去用水槽の底に配設される酸素供給ホースを経てコントロールボックスによって制御されてブロワ、オゾン器、紫外線殺菌器により前記不純物除去用水槽内の海水に対する水中にオゾンと紫外線が内包された酸素を供給する酸素供給段階と、前記酸素供給段階の後、前記不純物除去用水槽内の前記貝類収納バスケット上に収納された貝類の不純物除去がなされるように２４時間以上の不純物除去時間が経過するようにする不純物除去段階とを含んでなる。
【発明の効果】
【００１９】
本発明によるゲルマニウム成分が含まれるようにする貝類の不純物除去装置、およびそれを用いた不純物除去方法の効果を説明すると、次の通りである。
【００２０】
第一に、内側の底に屈折タイプで酸素供給ホースが設けられ、酸素供給ホースとの間に沿ってゲルマニウム原石が収納された原石収納バスケットを配列させるが、原石収納バスケットの上部にアサリなどの貝類を収納させた貝類収納バスケットが載せられるようにした後、水タンクからろ過された水の供給を受け、一定時間に渡って不純物除去がなされるようにした不純物除去用水槽が備えられることによってアサリなどの大量の貝類の不純物を除去させるとともに、貝類にゲルマニウム成分が含まれるようにすることができる。
【００２１】
第二に、不純物除去用水槽内で一定時間が経過すると、原石収納バスケット上のゲルマニウム原石から貝類収納バスケット上の貝類にゲルマニウム成分が転移して含まれることにより、貝類に対して新鮮さとしこしこした味を提供することができるようにする一方、従来とは異なり、家庭で不純物が除去されるとともに、肉質と味が向上された貝類を購入した後に、手軽に不純物除去過程なしに料理して食べることができる。
【図面の簡単な説明】
【００２２】
【図１】本発明によるゲルマニウム成分が含まれるようにする貝類の不純物除去装置を示す全体構成図である。
【図２】本発明によるゲルマニウム成分が含まれるようにする貝類の不純物除去装置を用いた不純物除去方法を概略的に示した不純物除去方法の工程図である。
【発明を実施するための形態】
【００２３】
以下、添付された図面を参照して本発明によるゲルマニウム成分が含まれるようにする貝類の不純物除去装置、およびそれを用いた不純物除去方法の好ましい実施例を詳細に説明する。
【００２４】
図１は、本発明によるゲルマニウム成分が含まれるようにする貝類の不純物除去装置を示す全体構成図である。
【００２５】
図１に示すように、本発明の好ましい実施形態に係るゲルマニウム成分が含まれるようにする貝類の不純物除去装置１は、海近くの大陸敷地に不純物除去のための建築物１００を建設して前記建築物１００の内外にかけて設けられるものである。
【００２６】
このようなゲルマニウム成分が含まれるようにする貝類の不純物除去装置１は、大きく分類すると、連結配管１１０、水タンク２００、不純物除去用水槽４００、および酸素供給ユニット５００を含んでなる。
【００２７】
具体的には、前記連結配管１１０は前記建築物１００の外部に設けられて前記建築物１００の内側に向かって海から海水を一方向に移送させるが、海の水中に設けられた水中ポンプ１０を介して一方向に移送される海水がろ過処理されるように中央部に大容量フィルター１５０が設けられ、端部が第１の端部１１１と第２の端部１１２の二つに分岐される構成からなる。
【００２８】
このとき、前記連結配管１１０は、前記第１の端部１１１と第２の端部１１２の一側に前記第１の端部１１１と第２の端部１１２を介して移送される海水を遮断または供給するか、供給される海水の量を調節することができる弁（未図示）がさらに備えられることが好ましい。
【００２９】
また、前記水タンク２００は、前記建築物１００の内部の一側に備えられ、前記連結配管１１０の第１の端部１１１が連結されて前記連結配管１１０を介して前記大容量フィルター１５０を経てろ過処理されて移送される海水が流入貯蔵される海水貯蔵タンク２１０と、前記海水貯蔵タンク２１０の一側に備えられて前記連結配管１１０の第２の端部１１２が連結され、前記連結配管１１０を介して前記大容量フィルター１５０を経てろ過処理されて移送される海水が流入貯蔵される冷却水貯蔵タンク２２０からなることが好ましい。
【００３０】
すなわち、前記水タンク２００は、前記海水貯蔵タンク２１０と、前記冷却水貯蔵タンク２２０とを含んでなる。
【００３１】
一方、前記不純物除去用水槽４００は、前記水タンク２００の一側に前記建築物１００の一側の壁体に沿って長さ方向に内側に向かって「コ」の字状の水槽壁体４１０によって上部が開放されて四方が塞がるように構成される。
【００３２】
このような不純物除去用水槽４００は、前記海水貯蔵タンク２１０から前記建造物１００の一側の壁体に沿って設けられた海水供給配管３１０を介して内部空間にろ過処理された海水を選択的に供給されるものである。
【００３３】
また、前記不純物除去用水槽４００は、前記水タンク２００の一側に前記建築物１００の一側の壁体に沿って長さ方向に内側に向かって「コ」の字状の水槽壁体４１０によって上部が開放されて四方が塞がるように構成されるが、内部空間を分割する水槽分割壁体４２０が複数本でさらに備えられることが好ましい。
【００３４】
すなわち、前記水槽分割壁体４２０により前記不純物除去用水槽４００の内部空間が分割形成されることにより、必要に応じて不純物除去が必要な貝類の量を調節して比較的少量や大量の貝類に対する不純物除去が容易になされるようになる。
【００３５】
もちろん、前記不純物除去用水槽４００は、前記水タンク２００の一側に前記建築物１００の一側の壁体に沿って長さ方向に内側に向かって「ロ」の字状に上部が開放されて四方が塞がるように構成されることもある。
【００３６】
さらに、前述のような不純物除去用水槽４００は、内側の底にゲルマニウム原石が収納された原石収納バスケット６００が配列されるようにし、前記原石収納バスケット６００の上部に貝類が収納された貝類収納バスケット７００が載せられるようにして、前記水タンク２００のうち前記海水貯蔵タンク２１０から連結される海水供給配管３１０を介して選択的にろ過処理された海水を一定量供給させて２４時間以上経過した後、不純物除去を完了させるものである。
【００３７】
このとき、前記海水供給配管３１０は、一側に第１の小容量フィルター３１１が備えられ、前記第１の小容量フィルター３１１を介して前記海水貯蔵タンク２１０内の海水をろ過処理して前記不純物除去用水槽４００に選択的に案内することが好ましい。
【００３８】
すなわち、前記海水供給配管３１０の一側に前記第１の小容量フィルター３１１が備えられることにより、前記第１の小容量フィルター３１１を介して前記大容量フィルター１５０を経て１次的にろ過処理されて、前記海水貯蔵タンク２１０内に貯蔵された海水に対して２次的にろ過処理され得、このように２次的にろ過処理された海水が、前記不純物除去用水槽４００の内部に供給されうる。
【００３９】
さらに、前記海水供給配管３１０は、前記海水貯蔵タンク２１０から前記不純物除去用水槽４００側にろ過処理された海水を供給するが、供給される量を調節できるように端部に弁（未符号）がさらに備えられることが好ましい。
【００４０】
そして、前記酸素供給ユニット５００は、前記不純物除去用水槽４００の内側底部に屈折タイプで配設される酸素供給ホース５１０を含み、前記酸素供給ホース５１０を介して前記不純物除去用水槽４００の内側に供給される海水の水中に酸素を供給させる。
【００４１】
前記のような酸素供給ユニット５００は、特に、酸素供給ホース５１０を介して前記不純物除去用水槽４００の内側に供給された海水の水中にオゾンと紫外線が内包された酸素を供給できるようにすることが重要である。
【００４２】
したがって、前記酸素供給ユニット５００は、前記不純物除去用水槽４００の外側に設けられ、前記酸素供給ホース５１０を介してオゾンと紫外線が内包された酸素を供給させるブロワ５３０と、前記ブロワ５３０と前記酸素供給ホースと５１０の間で、前記ブロワ５３０の一側に備えられるオゾン器５５０、および前記オゾン器５５０の一側に備えられる紫外線殺菌器５７０をさらに含んで構成されることが好ましい。
【００４３】
さらに、前述のような構成からなる酸素供給ユニット５００は、前記ブロワ５３０、オゾン器５５０、および紫外線殺菌器５７０に対する選択的な操作がなされるように、前記ブロワ５３０の前記酸素供給ホース５１０が連結される反対側に前記ブロワ５３０、オゾン器５５０、および紫外線殺菌器５７０を制御するコントロールボックス５９０がさらに備えられることが好ましい。
【００４４】
一方、前述のような本発明によるゲルマニウム成分が含まれるようにする貝類の不純物除去装置１において、前記冷却水貯蔵タンク２２０は、内部に冷却器２２１がさらに備えられ、前記建築物１００の上部の天井に沿って連結された冷却水供給配管３２０を介して内部空間に季節に応じて夏に限定されて選択的に冷却処理された冷却水を前記不純物除去用水槽４００に案内するものである。
【００４５】
このとき、前記冷却水供給配管３２０は、一側に第２の小容量フィルター３２１が備えられ、前記第２の小容量フィルター３２１を介して前記冷却水貯蔵タンク２２０内の海水をろ過処理して前記不純物除去用水槽４００に選択的に案内することが好ましい。
【００４６】
すなわち、前記冷却水供給配管３２０の一側に前記第２の小容量フィルター３２１が備えられることにより、前記第２の小容量フィルター３２１を介して前記大容量フィルター１５０を経て１次的にろ過処理され、前記冷却水貯蔵タンク２２０内に貯蔵された海水に対して２次的にろ過処理され得、このように２次的にろ過処理された海水は、前記冷却器２２１を介して冷却処理された状態で季節に応じて、すなわち、夏に限定されて選択的に前記不純物除去用水槽４００の内部に供給されうる。
【００４７】
さらに、前記冷却水供給配管３２０は、前記冷却水貯蔵タンク２２０から前記不純物除去用水槽４００側にろ過処理された海水を供給するが、供給される量を調節できるように端部に弁（未符号）がさらに備えられることが好ましい。
【００４８】
一方、前述のような本発明によるゲルマニウム成分が含まれるようにする貝類の不純物除去装置１において、前記不純物除去用水槽４００の内側の底に配列される前記原石収納バスケット６００に収納されるゲルマニウム原石の大きさは、１〜２０ＣＭ以下の粒度で提供されることが好ましい。
【００４９】
併せて、前記原石収納バスケット６００および貝類収納バスケット７００は、収納されたゲルマニウム原石や貝類が前記不純物除去用水槽４００内に供給された海水の前記酸素供給ホース５１０を介した流れによってゲルマニウム原石から貝類側に相互にゲルマニウム成分がスムーズに転移されることができるように、上部が開放されて側面に多数の通孔が形成されることが好ましく、もちろん床面上にも多数の通孔が形成されることが好ましい。
【００５０】
図２は、本発明によるゲルマニウム成分が含まれるようにする貝類不純物除去装置を用いた不純物除去方法を概略的に示す不純物除去方法の工程図である。
【００５１】
以下、図１を参照して説明したゲルマニウム成分が含まれるようにする貝類の不純物除去装置を図２とともに参照して、本発明によるゲルマニウム成分が含まれるようにする貝類の不純物除去装置を用いた不純物除去方法の工程を説明する。
【００５２】
まず、本発明によるゲルマニウム成分が含まれるようにする貝類の不純物除去装置１を用いた不純物除去方法は、大きく分類すると、不純物除去準備段階（Ｓ１１０）、海水貯蔵段階（Ｓ１２０）、海水供給段階（Ｓ１３０） 、酸素供給段階（Ｓ１４０）、および不純物除去段階（Ｓ１５０）を含んでなる。
【００５３】
具体的には、前記不純物除去準備段階（Ｓ１１０）は、不純物除去用水槽４００の内側の底部に原石収納バスケット６００と前記原石収納バスケット６００の上部に貝類収納バスケット７００が載せられるように配列する大量の貝類に対する不純物除去準備のための工程である。
【００５４】
前記のような不純物除去準備段階（Ｓ１１０）の後に進行される前記海水貯蔵段階（Ｓ１２０）は、水中ポンプ１０を稼動して海水貯蔵タンク２１０と冷却水貯蔵タンク２２０側に大容量フィルター１５０を経てろ過処理された海水を貯蔵する工程からなる。
【００５５】
そして、前記のような海水貯蔵段階（Ｓ１２０）の後に進行される前記海水供給段階（Ｓ１３０）は、前記海水貯蔵タンク２１０に貯蔵された海水を第１の小容量フィルター３１１を経てろ過させて海水供給配管３１０を介して前記不純物除去用水槽４００の内側に一定量供給する工程からなる。
【００５６】
また、前記のような海水供給段階（Ｓ１３０）の後に進行される前記酸素供給段階（Ｓ１４０）は、前記不純物除去用水槽４００の底に配設される酸素供給ホース５１０を経てコントロールボックス５９０によって制御されてブロワ５３０、オゾン器５５０、紫外線殺菌器５７０により前記不純物除去用水槽４００内の海水に対する水中にオゾンと紫外線が内包された酸素を供給する工程からなる。
【００５７】
最後に、前記のような酸素供給段階（Ｓ１４０）の後に進行される前記不純物除去段階（Ｓ１５０）は、前記酸素供給段階（Ｓ１４０）の後に前記不純物除去用水槽４００内の前記貝類収納バスケット７００上に収納された貝類の不純物の除去がなされるように、２４時間以上の不純物除去時間が経過するようにする工程からなる。
【００５８】
前述のような不純物除去段階（Ｓ１５０）の最後の工程を介して不純物除去が完了した貝類は、別の付加的な洗浄工程を経た後、包装して大型マートなどに供給された後、消費者によって購入され、このように消費者が購入した貝類に対して消費者は不純物除去過程なしに貝類の料理を手軽に行うことができるようになる。
【００５９】
一方、添付された試験成績書を参照すると、本発明によるゲルマニウム成分が含まれるようにする貝類の不純物除去装置、およびそれを用いた不純物除去方法により、不純物除去用水槽内に配列して不純物を除去させた貝類では、ゲルマニウム成分が検出されることはもちろんのこと、不純物除去過程がなされる不純物除去用水槽内の海水では、ゲルマニウム成分が検出されないことを知ることができる。
【００６０】
したがって、前述のような本発明によるゲルマニウム成分が含まれるようにする貝類の不純物除去装置１、およびそれを用いた不純物除去方法によれば、内側の底に屈折タイプで酸素供給ホース５１０が設けられ、酸素供給ホース５１０との間に沿ってゲルマニウム原石が収納された原石収納バスケット６００を配列させるが、原石収納バスケット６００の上部にアサリなどの貝類を収納させた貝類収納バスケット７００が載せられるようにした後、水タンク２００からろ過された水の供給を受けて、一定時間に渡って不純物除去がなされるようにした不純物除去用水槽４００が備えられることにより、アサリなどの大量の貝類の不純物を除去させるとともに、貝類にゲルマニウム成分を含ませることができる。
【００６１】
併せて、不純物除去用水槽４００内で一定時間が経過すると、原石収納バスケット６００上のゲルマニウム原石から貝類収納バスケット７００上の貝類にゲルマニウム成分が転移して含まれることにより貝類に対して新鮮さとしこしこした味を提供できるようにする一方で、従来とは異なり、家庭で不純物が除去されるとともに、肉質と味が向上された貝類を購入した後、手軽に不純物除去過程なしに料理して食べることができるようになる。
【００６２】
以上、本発明の具体的な実施例を詳細に説明したが、本発明はこれに限定されるものではなく、本発明は、当該発明が属する技術分野で通常の知識を有する者によって多様な変形の実施が可能であり、このような変形は、本発明の範囲に含まれる。
【００６３】
以下、次の事項を開示する。
（１）
海近くの大陸敷地に不純物除去のための建築物１００を建設し、前記建築物１００の内外に渡って設けられるゲルマニウム成分が含まれるようにする貝類の不純物除去装置において、
前記建築物１００の外部に設けられて前記建築物１００の内側に向かって海から海水を一方向に移送させるが、海の水中に設けられた水中ポンプ１０を介して一方向に移送される海水がろ過処理されうるように中央部に大容量フィルター１５０が設けられ、端部が第１の端部１１１と第２の端部１１２の二つに分岐される連結配管１１０と、
前記建築物１００の内部の一側に備えられ、前記連結配管１１０の第１の端部１１１が連結され、前記連結倍管１１０を介して前記大容量フィルター１５０を経てろ過処理されて移送される海水が流入貯蔵される海水貯蔵タンク２１０と、前記海水貯蔵タンク２１０の一側に備えられて前記連結配管１１０の第２の端部１１２が連結されて前記連結配管１１０を介して前記大容量フィルター１５０を経てろ過処理されて移送される海水が流入貯蔵される冷却水貯蔵タンク２２０からなる水タンク２００と、
前記水タンク２００の一側に前記建築物１００の一側の壁体に沿って長さ方向に内側に向かって「コ」の字状の水槽壁体４１０によって上部が開放されて四方が塞がるように構成され、前記海水貯蔵タンク２１０から前記建築物１００の一側の壁体に沿って設けられた海水供給配管３１０を介して内部空間にろ過処理された海水を選択的に供給を受け、内側の底にゲルマニウム原石が収納された原石収納バスケット６００が配列されるようにし、前記原石収納バスケット６００の上部に貝類が収納された貝類収納バスケット７００が載せられるようにし、前記水タンク２００のうち前記海水貯蔵タンク２１０から連結される海水供給配管３１０を介して選択的に濾過処理された海水を一定量供給して２４時間以上経過した後、不純物除去を完了させる不純物除去用水槽４００と、
前記不純物除去用水槽４００の内側底部に屈折タイプで配設される酸素供給ホース５１０を含むが、前記酸素供給ホース５１０を介して前記不純物除去用水槽４００の内側に供給される海水の水中に酸素を供給させる酸素供給ユニット５００を含んでなるゲルマニウム成分が含まれるようにする貝類の不純物除去装置 。
（２）
前記海水供給配管３１０は、一側に第１の小容量フィルター３１１が備えられて前記第１の小容量フィルター３１１を介して前記海水貯蔵タンク２１０内の海水をろ過処理して前記不純物除去用水槽４００に選択的に案内することを特徴とする（１）に記載のゲルマニウム成分が含まれるようにする貝類の不純物除去装置 。
（３）
前記酸素供給ユニット５００は、前記酸素供給ホース５１０を介して前記不純物除去用水槽４００の内側に供給された海水の水中にオゾンと紫外線が内包された酸素を供給することができるように、
前記不純物除去用水槽４００の外側に設けられ、前記酸素供給ホース５１０を介してオゾンと紫外線が内包された酸素を供給させるブロワ５３０と、前記ブロワ５３０と前記酸素供給ホース５１０の間で、前記ブロワ５３０の一側に備えられるオゾン器５５０、および前記オゾン器５５０の一側に備えられる紫外線殺菌器５７０をさらに含んで構成されることを特徴とする（１）に記載のゲルマニウム成分が含まれるようにする貝類の不純物除去装置 。
（４）
前記酸素供給ユニットは、前記ブロワ５３０、オゾン器５５０、および紫外線殺菌器５７０に対する選択的な操作がなされるように、前記ブロワ５３０の前記酸素供給ホース５１０が連結される反対側に、前記ブロワ５３０、オゾン器５５０、および紫外線殺菌器５７０を制御するコントロールボックス５９０がさらに備えられることを特徴とする（３）に記載のゲルマニウム成分が含まれるようにする貝類の不純物除去装置 。
（５）
前記冷却水貯蔵タンク２２０は、内部に冷却器２２１がさらに備えられ、前記建築物１００の上部の天井に沿って連結された冷却水供給配管３２０を介して内部空間に季節に応じて夏に限定されて選択的に冷却処理された冷却水を前記不純物除去用水槽４００に案内することを特徴とする（１）に記載のゲルマニウム成分が含まれるようにする貝類の不純物除去装置 。
（６）
前記冷却水供給配管３２０は、一側に第２の小容量フィルター３２１が備えられて前記第２の小容量フィルター３２１を介して前記冷却水貯蔵タンク２２０内の海水をろ過処理して前記不純物除去用水槽４００に選択的に案内することを特徴とする（５）に記載のゲルマニウム成分が含まれるようにする貝類の不純物除去装置。
（７）
前記不純物除去用水槽４００は、前記水タンク２００の一側に前記建築物１００の一側の壁体に沿って長さ方向に内側に向かって「コ」の字状の水槽壁体４１０によって上部が開放されて四方が塞がるように構成されるが、
内部空間を分割する水槽分割壁体４２０が複数本でさらに備えられることを特徴とする（１）に記載のゲルマニウム成分が含まれるようにする貝類の不純物除去装置。
（８）
第１項ないし第７項のいずれかに記載のゲルマニウム成分が含まれるようにする貝類の不純物除去装置１を介して貝類の不純物を除去させるゲルマニウム成分が含まれるようにする貝類の不純物除去装置を用いた不純物除去方法。
（９）
不純物除去用水槽の内側の底に原石収納バスケットと前記原石収納バスケットの上部に貝類収納バスケットが載せられるように配列する大量の貝類に対する不純物除去準備段階（Ｓ１１０）と、
水中ポンプを稼動して海水貯蔵タンクと冷却水貯蔵タンク側に大容量フィルターを経てろ過処理された海水を貯蔵する海水貯蔵段階（Ｓ１２０）と、
前記海水貯蔵タンクに貯蔵された海水を第１の小容量フィルターを経てろ過させて海水供給配管を介して前記不純物除去用水槽の内側に一定量供給する海水供給段階（Ｓ１３０）と、
前記不純物除去用水槽の底に配設される酸素供給ホースを経てコントロールボックスによって制御されてブロワ、オゾン器、紫外線殺菌器により前記不純物除去用水槽内の海水に対する水中にオゾンと紫外線が内包された酸素を供給する酸素供給段階（Ｓ１４０）と、
前記酸素供給段階（Ｓ１４０）の後、前記不純物除去用水槽内の前記貝類収納バスケット上に収納された貝類の不純物除去がなされるように、２４時間以上の不純物除去時間が経過するようにする不純物除去段階（Ｓ１５０）を含んでなる請求項８に記載のゲルマニウム成分が含まれるようにする貝類の不純物除去装置を用いた不純物除去方法。
【符号の説明】
【００６４】
１        不純物除去装置
１０      水中ポンプ
１００    建築物
１１０    連結配管
１１１    第１の端部
１１２    第２の端部
１５０    大容量フィルター
２００    水タンク
２１０    海水貯蔵タンク
２２０    冷却水貯蔵タンク
２２１    冷却器
３１０    海水供給配管
３１１    第１の小容量フィルター
３２０    冷却水供給配管
３２１    第２の小容量フィルター
４００    不純物除去用水槽
４１０    水槽壁体
４２０    水槽分割壁体
５００    酸素供給ユニット
５１０    酸素供給ホース
５３０    ブロワ
５５０    オゾン器
５７０    紫外線殺菌器
５９０    コントロールボックス
６００    原石収納バスケット
７００    貝類収納バスケット
【図１】
2016052298.tif 000003
【図２】
2016052298.tif 000004